(57)【特許請求の範囲】
【請求項１】
用紙を積載して格納する複数の給紙トレイと、
前記給紙トレイ毎に設けられ、前記用紙の種類に対応した設定値に応じて空気を吸引又は排出して前記給紙トレイに格納された用紙を搬送経路に搬送する複数の給紙部と、
前記用紙の種類毎且つ前記給紙部毎の設定値により構成されるプロファイル群と、このプロファイル群を参照する前記給紙トレイの給紙部の設定値テーブルとをそれぞれ記憶する記憶部と、
前記設定値を変更する給紙部が設けられた給紙トレイの選択指示が入力されるトレイ選択部と、
前記トレイ選択部により選択指示された給紙トレイに格納されている用紙の種類に対応する前記設定値の変更指示値が入力される設定値指示部と、前記トレイ選択部により選択指示された給紙トレイに格納されている用紙の種類に対応する前記プロファイル群の給紙トレイ毎の全ての設定値を、前記設定値指示部により入力された設定値の変更指示値とする指示が入力される第１登録部とを有する入力部と、
前記第１登録部による指示が入力された場合、前記トレイ選択部により選択指示された給紙トレイに格納されている用紙の種類に対応する前記プロファイル群の給紙トレイ毎の全ての設定値を、前記設定値指示部により入力された設定値の変更指示値に変更して記憶させる制御部と
を備えた画像形成装置。
【請求項２】
前記入力部は、
前記トレイ選択部により選択指示された給紙トレイに格納されている用紙の種類且つ当該給紙トレイに設けられた給紙部に対応する設定値を、前記設定値指示部により入力された設定値の変更指示値とする指示が入力される第２登録部を有し、
前記制御部は、
前記第２登録部による指示が入力された場合、前記トレイ選択部により選択指示された給紙トレイに格納されている用紙の種類且つ当該給紙トレイに対応する前記プロファイル群の設定値を、前記設定値指示部により入力された設定値の変更指示値に変更して記憶させる
請求項１に記載の画像形成装置。
【請求項３】
前記画像形成装置の動作の確認処理の実行指示が入力される確認指示部を備え、
前記制御部は、
前記確認指示部により確認処理の実行指示が入力された場合、前記記憶部に記憶された設定値に基づいて前記給紙部により用紙を搬送経路に搬送させる処理を含む前記確認処理を実行させた後、前記入力部からの前記設定値の変更指示値の入力を受け付ける
請求項１から２のいずれか一項に記載の画像形成装置。
【請求項４】
前記用紙の種類は、用紙の紙種、坪量で分別されており、
前記記憶部に記憶されている設定値は、用紙の紙種、坪量により予め定義されている
請求項１から３のいずれか一項に記載の画像形成装置。
【発明の詳細な説明】
【技術分野】
【０００１】
本発明は、画像形成装置に関する。
【背景技術】
【０００２】
近年、空気の吸引力を利用して給紙トレイ上に積載された用紙束から１枚ずつ用紙を分離搬送する給紙部を備えた画像形成装置がある。
【０００３】
例えば、積載されたシートをエア（空気）の吸引により吸着するシート吸着部と、吸着されたシートを搬送する搬送手段と、シート吸着部に吸引されて搬送手段に吸着されたシートの先端部近傍にエアを吹き付ける接着防止エア吹き付け手段と、接着防止エア吹き付け手段から出るエアの量をシートの給送動作中に増減させるエア調整手段とを有し、次のシートと搬送手段との接触を防止するシート給送装置が開示されている（特許文献１参照）。
【０００４】
積載されたシートに空気を吹き付けて浮上させる浮上手段と、浮上したシートを吸引空気により搬送ベルトに吸着させる吸引手段と、浮上手段に供給される吹き付け空気が通過する第１空気通路及び吸引手段からの吸引空気が通過する第２空気通路とを備えた複数のシート給送部と、各シート給送部の第１及び第２空気通路に連通し吹き付け空気及び吸引空気を発生させる送風手段と、送風手段からシート給送部までの距離に応じて、シート積載手段上に積載するシートのサイズ又は坪量を限定したシート給送装置が開示されている（特許文献２参照）。
【０００５】
更に、用紙の紙種、坪量、紙寸法、紙目を含む紙質データに基づいて設定されたプリセット量（用紙収容部に収容された用紙を空気により分離させる分離エア供給手段の分離空気供給量、用紙収容部に終了された用紙を１枚ずつさばくさばきエア供給手段のさばき空気供給量、用紙をフィーダに吸着させて搬送する真空吸着手段の真空圧等のプリセット量）が設定されたプリセット設定テーブルを作成し、当該プリセット設定テーブルから紙質データの入力値に対応するプリセット量を選出する給紙部プリセット方法が開示されている（特許文献３参照）。
【特許文献１】特開平７−１０１５９号公報
【特許文献２】特開平１０−３１５５５６号公報
【特許文献３】特開２００１−８０７５０号公報
【発明の開示】
【発明が解決しようとする課題】
【０００６】
しかしながら、特許文献１又は２のような給送装置を備えた画像形成装置は、各給送装置に予め設定されている風量や風圧等の設定値を変更する場合には、必要に応じてその都度ユーザが手動にて給紙部毎に設定する必要がある。そのため、複数の給紙トレイに同一の種類の用紙が格納されたとしても、給紙トレイ毎、即ち、給紙部毎に手動で設定値を変更しなくてはならず、煩雑な作業となっている。
【０００７】
また、特許文献３のような機能を有する画像形成装置は、予め設定された風量や風圧等の調整値テーブルから紙種に対応する設定値を選出することができるため、同一の種類の用紙が格納された給紙トレイ、即ち、給紙部には、同一の設定値を設定することができる。しかし、ユーザの設定した設定値を予め設定されている設定値に反映することができない。そのため、同一の種類の用紙が格納された給紙トレイ、即ち、給紙部であっても、給紙部毎に設定値を手動で変更するという煩雑な作業が残る。
【０００８】
更に、各給紙部の空気を吸引又は排出するファンのフィルターの目詰まり等の機構的な状態の差異により、同一の種類の用紙であっても給紙部毎に設定値が異なる場合があり、給紙部毎の設定値の設定変更も可能とする必要がある。
【０００９】
本発明の課題は、上記問題に鑑みて、各給紙部の設定値の設定変更の作業の手間を低減し、操作性を向上させることである。
【課題を解決するための手段】
【００１０】
請求項１に記載の発明は、用紙を積載して格納する複数の給紙トレイと、前記給紙トレイ毎に設けられ、前記用紙の種類に対応した設定値に応じて空気を吸引又は排出して前記給紙トレイに格納された用紙を搬送経路に搬送する複数の給紙部と、前記用紙の種類毎且つ前記給紙部毎の設定値により構成されるプロファイル群と、このプロファイル群を参照する前記給紙トレイの給紙部の設定値テーブルとをそれぞれ記憶する記憶部と、前記設定値を変更する給紙部が設けられた給紙トレイの選択指示が入力されるトレイ選択部と、前記トレイ選択部により選択指示された給紙トレイに格納されている用紙の種類に対応する前記設定値の変更指示値が入力される設定値指示部と、前記トレイ選択部により選択指示された給紙トレイに格納されている用紙の種類に対応する前記プロファイル群の給紙トレイ毎の全ての設定値を、前記設定値指示部により入力された設定値の変更指示値とする指示が入力される第１登録部とを有する入力部と、前記第１登録部による指示が入力された場合、前記トレイ選択部により選択指示された給紙トレイに格納されている用紙の種類に対応する前記プロファイル群の給紙トレイ毎の全ての設定値を、前記設定値指示部により入力された設定値の変更指示値に変更して記憶させる制御部と、を備えた画像形成装置。
【００１２】
請求項２に記載の発明は、請求項１に記載の画像形成装置において、前記入力部は、前記トレイ選択部により選択指示された給紙トレイに格納されている用紙の種類且つ当該給紙トレイに設けられた給紙部に対応する設定値を、前記設定値指示部により入力された設定値の変更指示値とする指示が入力される第２登録部を有し、前記制御部は、前記第２登録部による指示が入力された場合、前記トレイ選択部により選択指示された給紙トレイに格納されている用紙の種類且つ当該給紙トレイに対応する前記プロファイル群の設定値を、前記設定値指示部により入力された設定値の変更指示値に変更して記憶させる。
【００１３】
請求項３に記載の発明は、請求項１から２のいずれか一項に記載の画像形成装置において、前記画像形成装置の動作の確認処理の実行指示が入力される確認指示部を備え、前記制御部は、前記確認指示部により確認処理の実行指示が入力された場合、前記記憶部に記憶された設定値に基づいて前記給紙部により用紙を搬送経路に搬送させる処理を含む前記確認処理を実行させた後、前記入力部からの前記設定値の変更指示値の入力を受け付ける。
【００１４】
請求項４に記載の発明は、請求項１から３のいずれか一項に記載の画像形成装置において、前記用紙の種類は、用紙の紙種、坪量で分別されており、前記記憶部に記憶されている設定値は、用紙の紙種、坪量により予め定義されている。
【発明の効果】
【００１６】
請求項１に記載の発明によれば、選択された給紙トレイに格納されている用紙の種類に対応する前記プロファイル群の給紙トレイ毎の全ての設定値を入力部に入力された変更指示値に変更して記憶させることができるため、選択された給紙トレイに設けられた給紙部の設定値の変更作業のみで、選択された給紙トレイと同一の種類の用紙が格納されている給紙トレイの全ての給紙部の設定値を変更することができ、各給紙部の設定値の設定変更の作業の手間を低減することができる。
【００１７】
請求項２に記載の発明によれば、請求項１と同様の効果を得られるのは勿論のこと、選択された給紙トレイに格納されている用紙の種類且つ当該給紙トレイに設けられた給紙部に対応する前記プロファイル群の設定値のみを変更することができるため、給紙部毎の設定値の変更も可能となり、各給紙部の空気を吸引又は排出するファンの目詰まり等の機構的な状態の差異により、同一の種類の用紙であっても給紙部毎に調整値が異なる場合に対応することができるため、操作性を向上できる。
【００１８】
請求項３に記載の発明によれば、請求項１から２のいずれか一項と同様の効果を得られるのは勿論のこと、記憶部に記憶された設定値に基づいて給紙部により用紙を搬送経路に搬送させる処理を含む画像形成装置の確認処理を実行させた後、設定値の変更指示値の入力を受け付けることができるため、給紙部の動作を確認しながら設定値を変更することができ、操作性を向上させることができる。
【００１９】
請求項４に記載の発明によれば、請求項１から３のいずれか一項と同様の効果を得られるのは勿論のこと、設定値を用紙の紙種、坪量により予め定義することができる。
【発明を実施するための最良の形態】
【００２０】
以下、図を参照して本発明の実施の形態を詳細に説明する。
まず、構成を説明する。
図１に、本実施の形態における画像形成装置１の概略断面構成図を示す。
【００２１】
図１に示すように、画像形成装置１は、原稿から画像を読み取り、読み取った画像を用紙Ｐに画像形成したり、外部装置等から画像データを含むページデータや各画像データの画像形成条件等の設定情報を含むジョブのジョブ情報を受信し、受信したジョブ情報に基づいて画像を用紙Ｐ上に形成したりする本体部１ａと、画像が形成された用紙に後処理を施す後処理部５０等を備えたデジタル複合機である。本体部１ａは、画像読取部２０と、操作表示部３０と、プリント部４０と等を備えて構成される。
【００２２】
画像読取部２０は、ＡＤＦ（Auto Document Feeder）と称される自動原稿送り部２１と読取部２２とを備え、操作表示部３０により受け付けられた後述する設定情報に基づいて複数の原稿の画像を読み取る機能を実現する。自動原稿送り部２１の原稿トレイＴ１に載置された原稿ｄは、読取個所であるコンタクトガラスに搬送され、光学系により原稿ｄの片面又は両面の画像が読み取られ、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００２３】
画像読取部２０により読み取られた画像のデータ（アナログ画像信号）は、後述する画像制御基板の読取処理部１４０に出力され、読取処理部１４０においてＡ／Ｄ変換され各種画像処理が施された後、プリント部４０に出力される。
【００２４】
操作表示部３０は、ＬＣＤ（Liquid Crystal Display）、ＬＣＤを覆うように設けられたタッチパネル３１、スタートボタン３２、確認ボタン３３、その他図示しない操作キー群から構成され、ユーザの入力を受け付けその入力情報を制御部１１０に出力し、また、制御部１１０から入力される表示信号に従って、各種設定条件を入力するための各種設定画面や各種処理結果等を表示する。
【００２５】
スタートボタン３２は、画像形成装置１における所定の動作を実行させる指示を受け付けるボタンであり、当該スタートボタン３２が押下されることにより、所定の動作の実行が開始される。
【００２６】
確認ボタン３３は、画像形成装置１の動作として、プリント部４０による用紙上に形成される画像の画像形成の動作の確認用に、画像形成装置１を動作させる確認処理（プルーフモード）の実行指示が入力される確認指示部として機能するボタンであり、当該確認ボタン３３が押下されることにより、プルーフモードの実行が設定される。
【００２７】
また、操作表示部３０のタッチパネル３１上には、基本画面Ｇ１（図７参照）、機械状態画面Ｇ２（図８参照）、オート／マニュアル画面Ｇ３（図９参照）、風量設定画面Ｇ４（図１０参照）、確認画面Ｇ５（図１５参照）が表示され、当該各種画面により受け付けられた指示が示す操作信号を後述する制御部１１０に出力する。
【００２８】
プリント部４０は、入力されたプリントデータに基づいて、電子写真方式の画像形成処理を行うものであり、用紙格納部４１、用紙搬送部４２、画像形成部４３、搬出部４４を備えて構成される。
【００２９】
用紙格納部４１は、複数の給紙トレイ４１ａ、給紙部４１ｂ、手差しトレイＴ２等を備える。給紙トレイ４１ａは、給紙トレイ４１ａ毎に用紙の種類毎に予め識別された用紙Ｐを積載して格納している。
【００３０】
手差しトレイＴ２は、ユーザのニーズに合わせて様々な種類の用紙Ｐを積載可能となっており、給紙ローラによって積載された用紙Ｐを最上部から一枚ずつ用紙搬送部４２に向けて搬送する。
【００３１】
給紙部４１ｂは、給紙トレイ４１ａ毎に設けられており、当該給紙トレイ４１ａに格納された用紙の種類に対応した設定値に応じて空気を吸引又は排出して当該給紙トレイに格納された用紙を最上部から一枚ずつ用紙搬送部４２に向けて搬送する。
【００３２】
本実施の形態における給紙部４１ｂは、浮上部４１ｂ１と、吸着部４１ｂ２と、先端ローラ等を有している。
【００３３】
浮上部４１ｂ１は、排気ファンとノズルとノズルからの排気風量を調整可能な機構とを有し、給紙トレイ４１ａに積載された用紙が搬送される方向と直行する方向から空気を設定値に応じた風量でノズルから吹き出して用紙を浮上させる。
【００３４】
吸着部４１ｂ２は、吸気ファンと搬送ベルトとノズルとノズルによる吸気風量を調整可能な機構とを有し、浮上部４１ｂ１により浮上され給紙トレイ４１ａに積載された最上部の用紙を設定値に応じた風量でノズルから吸気させて搬送ベルトに吸着させ、搬送ベルトに吸着された用紙を用紙搬送部４２に向けて搬送する。
【００３５】
先端ローラは、搬送ベルトに吸着された用紙の先端を挟持して搬送ベルトから分離させ、用紙搬送部４２に搬送させる。
【００３６】
用紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、用紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００３７】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備え、後述するＲＡＭ１３０に記憶されているジョブ情報に基づいて用紙に画像を形成する機能を実現する。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００３８】
定着装置４３ｂは、用紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００３９】
後処理部５０は、画像形成された用紙のソート処理を行うソート部、パンチ処理を行うパンチ部、設定された綴じ位置に用紙の束を綴じるステイプル処理を行うステイプル部、折り処理を行う折り部、断裁処理を行う断裁部等の後処理ユニットと、本体部１ａにより画像形成された用紙や各種後処理が施された用紙が排紙され積載される排紙トレイＴ３を備える。
【００４０】
図２に、画像形成装置１の制御ブロック図を示す。
図２に示すように、画像形成装置１は、本体部１ａとプリンタコントローラ１ｂと、本体部１ａに接続された後処理部５０から構成されている。画像形成装置１は、プリンタコントローラ１ｂのＬＡＮＩＦ（Local Area Network InterFace）１４を介してネットワーク３上の外部装置２と相互に情報の送受信が可能に接続されている。
【００４１】
本体部１ａは、画像読取部２０、操作表示部３０、プリント部４０、画像制御基板１００を備えて構成される。なお、図１で説明した各部と同一の構成には、同一の符号を付してその説明を省略する。
【００４２】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０、から構成される。
【００４３】
制御部１１０は、ＣＰＵ（Central Processing Unit）等から構成され、不揮発メモリ１２０に格納されているシステムプログラム及び各種アプリケーションプログラムの中から指定されたプログラムを読み出してＲＡＭ１３０に展開し、ＲＡＭ１３０に展開されたプログラムとの協働で、各種処理を実行し、画像形成装置１の各部を集中制御する。
例えば、操作表示部３０や外部装置２から入力される指示信号に従って、コピーモード、プリンタモード、スキャナモードを切り替え、複写、プリント、画像データの読取等の制御を行う。
【００４４】
制御部１１０は、不揮発メモリ１２０から読み出した本実施の形態に係る風量設定処理プログラムと、当該プログラム及び各種データとの協働により、不揮発メモリ１２０に記憶されている用紙の種類毎且つ給紙部４１ｂ毎に定められている浮上部４１ｂ１及び吸着部４１ｂ２の風量の設定値を操作表示部３０のＬＣＤ上に表示された風量設定画面Ｇ４から入力された変更指示値に変更して記憶させる制御を行なう。
【００４５】
制御部１１０は、風量設定処理において、風量設定画面Ｇ４が有する風量登録ボタンが選択された場合、設定値を変更する給紙部４１ｂが設けられた給紙トレイ４１ａに格納されている用紙の種類に対応する設定値を、操作表示部３０のＬＣＤ上に表示された風量設定画面Ｇ４により入力された設定値の変更指示値に変更して記憶させる。
【００４６】
また、制御部１１０は、風量設定処理において、風量設定画面Ｇ４が有するトレイ別登録ボタンが選択された場合、設定値を変更する給紙部４１ｂが設けられた給紙トレイ４１ａに格納されている用紙の種類且つ当該給紙トレイ４１ａに設けられた給紙部４１ｂに対応する設定値を、操作表示部３０のＬＣＤ上に表示された風量設定画面Ｇ４により入力された設定値の変更指示値に変更して記憶させる。
【００４７】
更に制御部１１０は、プルーフモードの実行指示が入力された場合、不揮発メモリ１２０に記憶された設定値に基づいて給紙部４１ｂにより用紙を搬送経路に搬送させる処理を含む確認処理を実行させた後、操作表示部３０から設定値の変更指示値の入力を受け付ける。
【００４８】
不揮発メモリ１２０は、画像形成に係る各種処理プログラム及びデータ、各種プログラムで処理されたデータ等を記憶すると共に、本実施の形態に係る風量設定処理プログラム、用紙の種類毎且つ給紙部毎の設定値により構成されるプロファイル群と、各給紙トレイの給紙部の設定値を記憶する記憶部として機能する。
【００４９】
図３に、プロファイル群の例を示す。
図３に示すように、プロファイル群は、用紙のサイズと、用紙の材料や性質等によって分別される普通紙、塗工紙等の紙種と、坪量と、色等によって分類される用紙の種類毎に対して、給紙部毎（各給紙部の浮上部及び吸着部毎）に風量の設定値が設定された複数のプロファイルから構成されている。各プロファイルには、各プロファイルを識別する識別番号（プロファイル番号）が付されている。
【００５０】
例えば、プロファイル番号が０１のプロファイルは、用紙のサイズがＡ４、紙種が普通紙、坪量が６２〜７１［ｇ／ｍ２］、色が白の用紙の種類に対して、給紙トレイ１〜４のぞれぞれの浮上部４１ｂ１の風量の設定値は３、吸着部４１ｂ２の風量は５、に設定されている。これら設定値の初期値は、用紙の紙種、坪量に応じて予め定義されているものである。
【００５１】
図４に、各給紙トレイの給紙部の設定値テーブルの例を示す。
図４に示すように、各給紙トレイの給紙部の設定値テーブルは、各給紙トレイを識別するトレイ名、各給紙トレイに格納されている用紙の種類（用紙のサイズ、紙種、坪量、色によって分別される）、当該用紙の種類に対応し参照するプロファイル番号（参照プロファイル番号）、参照プロファイル番号のプロファイルのうちの当該給紙トレイの浮上部及び吸着部の設定値、が給紙トレイ毎に設定されている。
【００５２】
例えば、トレイ１及びトレイ３は、それぞれ用紙の種類がプロファイル番号０１と一致するため、参照プロファイル番号が０１に設定され、プロファイル番号０１のトレイ１の浮上部及び吸着部の設定値３、５が、当該トレイ１の浮上部及び吸着部の設定値として設定され、プロファイル番号０１のトレイ３の浮上部及び吸着部の設定値３、５が、当該トレイ３の浮上部及び吸着部の設定値として設定される。
【００５３】
ＲＡＭ１３０は、制御部１１０により実行される各種プログラム及びこれらプログラムに係る各種データ等を一時的に記憶するワークエリアを形成する。
【００５４】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００５５】
圧縮ＩＣ１５０は、入力されたデジタル画像データに圧縮処理を施してＤＲＡＭ制御ＩＣ１６０に出力する。
【００５６】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。
例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００５７】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００５８】
伸長ＩＣ１８０は、圧縮画像データに伸長処理を施す。
【００５９】
書込処理部１９０は、ＤＲＡＭ制御ＩＣ１６０から入力された画像データに基づいて、画像形成のためのプリントデータを生成し、プリント部４０に出力する。
【００６０】
画像読取部２０は、ＣＣＤ２２ａ、画像読取制御部２００、その他ここでは図示しないが図１に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００６１】
操作表示部３０は、タッチパネル３１、操作表示制御部３００、その他ここでは図示しないが図１に示したスタートボタン３２、確認ボタン３３や、テンキー等の操作キー群から構成される。操作表示制御部３００は、制御部１１０から入力される表示信号に従って、各種設定条件を入力するための各種画面や各種処理結果等をＬＣＤに表示させる。また、操作表示制御部３００は、各種スイッチやボタン、テンキー、操作キー群又はタッチパネル３１から入力される操作信号を制御部１１０に出力する。
【００６２】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００６３】
後処理部５０は、各種後処理ユニット、各種後処理ユニットへ用紙を搬送する搬送ローラ等の搬送手段、各種後処理ユニットから搬送された用紙が排紙される排紙トレイＴ３等が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の後処理ユニットに搬送し、各部を駆動制御して用紙Ｐに所定の後処理を行わせ、排紙トレイＴ３に排紙させる制御を行う。
【００６４】
次に、プリンタコントローラ１ｂの各部について説明する。プリンタコントローラ１ｂは、画像形成装置１をネットワークプリンタとして使用する場合に、ネットワーク３に接続される外部装置２から画像形成装置１に入力されるジョブの管理及び制御を行うものであり、外部装置２からプリント対象のデータを受信し、当該データをジョブとして本体部１ａへ送信する。
【００６５】
プリンタコントローラ１ｂは、コントローラ制御部１１、ＤＲＡＭ制御ＩＣ１２、画像メモリ１３、ＬＡＮＩＦ１４から構成される。
【００６６】
コントローラ制御部１１は、プリンタコントローラ１ｂ各部の動作を統括的に制御し、ＬＡＮＩＦ１４を介して、外部装置２から入力されるデータをジョブとして本体部１ａへ送信する。
【００６７】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００６８】
画像メモリ１３は、ＤＲＡＭから構成され、入力された出力データを一時的に格納する。
【００６９】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００７０】
次に、本実施の形態の動作を説明する。
図５、図６に、本実施の形態における風量設定処理のフローチャートを示す。図５、図６に示すフローチャートは、制御部１１０によって実行される処理である。
【００７１】
まず、制御部１１０は、操作表示部３０のＬＣＤ上に基本画面を表示させる（ステップＳ１）。
【００７２】
図７に、基本画面Ｇ１の例を示す。
図７に示すように、基本画面Ｇ１は、コピータブＧ１１と、スキャンタブＧ１２と、保存タブＧ１３と、読み出しタブＧ１４と、ジョブリストタブＧ１５と、機械状態タブＧ１６等を有しており、コピータブＧ１１が選択された際に表示される画面であり、この基本画面Ｇ１は、ジョブを実行する際の各種設定内容の表示し変更を受け付ける画面である。
【００７３】
制御部１１０は、基本画面Ｇ１において、機械状態タブＧ１６が選択されたか否かを判別し（ステップＳ２）、機械状態タブＧ１６が選択された場合（ステップＳ２；Ｙｅｓ）、操作表示部３０のＬＣＤ上に機械状態画面を表示させる（ステップＳ３）。
【００７４】
図８に、機械状態画面Ｇ２の例を示す。
図８に示すように、機械状態画面Ｇ２は、予約されているジョブの一覧を示すジョブリストエリアＥ２１と、画像形成装置１が備える各給紙トレイの状態（格納されている用紙の種類や残量等）を示し、設定値を変更する給紙部が設けられた給紙トレイの選択指示が入力されるトレイ選択部として機能する用紙トレイエリアＥ２２と、トナーやステイプル針等の補給部材やパンチ屑等の廃棄部材の状態を示す補給／廃棄部材エリアＥ２３と、トレイサイズボタンＢ２１と、トレイ紙種ボタンＢ２２と、トレイ風量ボタンＢ２３等を有する。
【００７５】
トレイサイズボタンＢ２１は、用紙トレイエリアＥ２２に表示されている給紙トレイのうち選択された給紙トレイに格納されている用紙のサイズを変更する画面を表示させるボタンである。トレイ紙種ボタンＢ２２は、用紙トレイエリアＥ２２に表示されている給紙トレイのうち選択された給紙トレイに格納されている用紙の紙種を変更する画面を表示させるボタンである。トレイ風量ボタンＢ２３は、用紙トレイエリアＥ２２に表示されている給紙トレイのうち選択された給紙トレイに設けられている給紙部の風量の設定値を変更する画面を表示させるボタンである。
【００７６】
制御部１１０は、機械状態画面Ｇ２において、用紙トレイエリアＥ２２のいずれかの給紙トレイが選択され、トレイ風量ボタンＢ２３が選択されたか否かを判別する（ステップＳ４）。
【００７７】
制御部１１０は、トレイ風量ボタンＢ２３が選択されていない場合（ステップＳ４；Ｎｏ）、コピータブＧ１１が選択されたか否かを判別し（ステップＳ５）、コピータブＧ１１が選択された場合（ステップＳ５；Ｙｅｓ）、ステップＳ１に戻る。
【００７８】
制御部１１０は、コピータブＧ１１が選択されていない場合（ステップＳ５；Ｎｏ）、例えば、トレイサイズボタンＢ２１が選択された場合、選択された処理に移行して、本処理を終了する。
【００７９】
制御部１１０は、トレイ風量ボタンＢ２３が選択された場合（ステップＳ４；Ｙｅｓ）、操作表示部３０のＬＣＤ上にオート／マニュアル画面を表示させる（ステップＳ６）。
【００８０】
図９に、オート／マニュアル画面Ｇ３の例を示す。
図９に示すように、オート／マニュアル画面Ｇ３は、オートボタンＢ３１とマニュアルボタンＢ３２とを有する。
【００８１】
オートボタンＢ３１は、ステップＳ４において選択された給紙トレイ（以下、選択トレイ）に設けられた給紙部の設定値を当該選択トレイに格納されている用紙の種類及び選択トレイに対応するプロファイルの設定値に設定させる指示を受け付けるボタンである。
【００８２】
マニュアルボタンＢ３２は、選択トレイに設けられた給紙部の設定値をユーザが任意に設定変更可能な風量設定画面を表示させるボタンである。
【００８３】
制御部１１０は、オート／マニュアル画面Ｇ３において、マニュアルボタンＢ３２が選択されたか否かを判別する（ステップＳ７）。
【００８４】
制御部１１０は、オート／マニュアル画面Ｇ３において、マニュアルボタンＢ３２が選択されていない場合（ステップＳ７；Ｎｏ）、オートボタンＢ３１が選択されたか否かを判別し（ステップＳ９）、オートボタンＢ３１が選択された場合（ステップＳ９；Ｙｅｓ）、選択トレイに設けられた給紙部の浮上部及び吸着部の風量の設定値を、不揮発メモリ１２０に記憶されているプロファイル群のうち、当該選択トレイに格納されている用紙の種類に対応するプロファイルを参照し、当該プロファイルのうち、選択トレイに対応する浮上部及び吸着部の設定値を設定する（ステップＳ９）。
【００８５】
制御部１１０は、オートボタンＢ３１が選択されていない場合（ステップＳ８；Ｎｏ）、又はステップＳ９後、ステップＳ３に戻る。
【００８６】
制御部１１０は、オート／マニュアル画面Ｇ３において、マニュアルボタンＢ３２が選択された場合（ステップＳ７；Ｙｅｓ）、操作表示部３０のＬＣＤ上に選択トレイの風量設定画面を表示させる（ステップＳ１０）。
【００８７】
図１０に、風量設定画面Ｇ４の例を示す。
図１０に示す風量設定画面Ｇ４は、選択トレイに設けられた給紙部が有する浮上部及び吸着部の風量の設定変更を受け付ける画面であり、設定値の変更指示値が入力される入力部として機能する。
【００８８】
図１０に示すように、風量設定画面Ｇ４は、設定値指示エリアＥ４と、風量登録ボタンＢ４３と、トレイ別登録ボタンＢ４４と、印刷確認ボタンＢ４５と、キャンセルボタンＢ４６と、閉じるボタンＢ４７等を有する。
【００８９】
設定値指示エリアＥ４は、選択トレイに設けられた浮上部の風量の設定値を変更する弱ボタンＢ４１ａ及び強ボタンＢ４１ｂ、浮上部に設定される風量の設定値を示す設定値表示エリアＥ４１、選択トレイに設けられた吸着部の風量の設定値を変更する弱ボタンＢ４２ａ及び強ボタンＢ４２ｂ、吸着部に設定される風量の設定値を示す設定値表示エリアＥ４２を有する。
【００９０】
ユーザは、風量設定画面Ｇ４の設定値指示エリアＥ４において、選択トレイに設けられた浮上部の風量の設定値を、設定値表示エリアＥ４１を視認しながら弱ボタンＢ４１ａ又は強ボタンＢ４１ｂを用いて変更指示でき、また、選択トレイに設けられた吸着部の風量の設定値を、設定値表示エリアＥ４２を視認しながら弱ボタンＢ４２ａ又は強ボタンＢ４２ｂを用いて変更指示できる。従って、設定値指示エリアＥ４は、選択トレイに格納されている用紙の種類に対応する設定値の変更指示値が入力される設定値指示部として機能する。
【００９１】
風量登録ボタンＢ４３は、選択トレイに格納されている用紙の種類に対応する設定値を、設定値指示エリアＥ４により入力された設定値の変更指示値とする指示が入力される第１登録部として機能する。
【００９２】
トレイ別登録ボタンＢ４４は、選択トレイに格納されている用紙の種類且つ当該給紙トレイに設けられた給紙部に対応する設定値を、設定値指示エリアＥ４により入力された設定値の変更指示値とする指示が入力される第２登録部として機能する。
【００９３】
印刷確認ボタンＢ４５は、画像形成装置１の動作として、風量設定画面において設定された設定値での給紙の動作の確認用に、画像形成成装置１を動作させるプルーフモードの実行指示が入力される確認指示部として機能するボタンであり、当該印刷確認ボタンＢ４５が押下されることにより、プルーフモードの実行が設定される。
【００９４】
制御部１１０は、風量設定画面Ｇ４において、風量登録ボタンＢ４３が選択されたか否かを判別する（ステップＳ１１）。
【００９５】
制御部１１０は、風量設定画面Ｇ４において、風量登録ボタンＢ４３が選択された場合（ステップＳ１１；Ｙｅｓ）、選択トレイに格納されている用紙の種類に対応するプロファイルの全ての給紙部に対応する設定値を、設定指示エリアＥ４により入力された設定値の変更指示値に変更して記憶させる（ステップＳ１２）。
【００９６】
図１１に、風量登録ボタンＢ４３が選択された後のプロファイル群の例を示す。
風量登録ボタンＢ４３が選択される前のプロファイル群の例を図３とし、選択トレイに格納されている用紙の種類がプロファイル番号０１の用紙の種類であり、風量設定画面Ｇ４の設定指示エリアＥ４において、浮上部の設定値が４、吸着部の設定値が７、の変更指示値が入力された場合、図１１に示すように、プロファイル番号０１の全てのトレイ１〜４の浮上部及び吸着部の設定値がそれぞれ変更指示値４、７に変更されて記憶されることとなる。
【００９７】
従って、このプロファイル番号０１の設定値を参照している各給紙トレイの給紙部の設定値も変更されることとなる。
【００９８】
図１２に、風量登録ボタンＢ４３が選択された後の各給紙トレイの給紙部の設定値テーブルの例を示す。
図１２に示すように、参照プロファイル番号が０１のトレイ１及びトレイ３の浮上部及び吸着部のそれぞれ設定値は、プロファイル番号０１の全てのトレイ１〜４の浮上部及び吸着部の設定値がそれぞれ変更指示値４、７に変更されたことにより、トレイ１及びトレイ３の浮上部及び吸着部のそれぞれの設定値が４、７に変更されることとなる。
【００９９】
制御部１１０は、風量設定画面Ｇ４において、風量登録ボタンＢ４３が選択されていない場合（ステップＳ１１；Ｎｏ）又はステップＳ１２後、トレイ別登録ボタンＢ４４が選択されたか否を判別する（ステップＳ１３）。
【０１００】
制御部１１０は、風量設定画面Ｇ４において、トレイ別登録ボタンＢ４４が選択された場合（ステップＳ１３）、選択トレイに格納されている用紙の種類に対応するプロファイルの当該選択トレイに設けられた給紙部に対応する設定値のみを、設定値指示エリアＥ４により入力された設定値の変更指示値に変更して記憶させる（ステップＳ１４）。
【０１０１】
図１３に、トレイ別登録ボタンＢ４４が選択された後のプロファイル群の例を示す。
トレイ別登録ボタンＢ４４が選択される前のプロファイル群の例を図３とし、選択トレイがトレイ１であり、当該選択トレイに格納されている用紙の種類がプロファイル番号０１の用紙の種類であり、風量設定画面Ｇ４の設定指示エリアＥ４において、浮上部の設定値が４、吸着部の設定値が７、の変更指示値が入力された場合、図１３に示すように、プロファイル番号０１のトレイ１の浮上部及び吸着部の設定値のみが変更指示値４、７に変更されて記憶されることとなる。
【０１０２】
従って、このプロファイル番号０１の設定値を参照している各給紙トレイの給紙部の設定値も変更されることとなる。
【０１０３】
図１４に、トレイ別登録ボタンＢ４４が選択された後の各給紙トレイの給紙部の設定値テーブルの例を示す。
図１４に示すように、参照プロファイル番号が０１のトレイ１の浮上部及び吸着部の設定値は、プロファイル番号０１のトレイ１の浮上部及び吸着部の設定値が変更指示値４、７に変更されたことにより、トレイ１の浮上部及び吸着部の設定値が４、７に変更されることとなる。なお、参照プロファイル番号が０１のトレイ３の浮上部及び吸着部の設定値は、プロファイル番号０１のトレイ１のみの浮上部及び吸着部の設定値が変更指示値４、７に変更され、トレイ３の浮上部及び吸着部の設定は変更されていないため、トレイ３の浮上部及び吸着部の設定値がトレイ別登録ボタンＢ４４が選択される前の設定値３、５の状態を保持する。
【０１０４】
制御部１１０は、風量設定画面Ｇ４において、トレイ別登録ボタンＢ４４が選択されていない場合（ステップＳ１３；Ｎｏ）又はステップＳ１４後、印刷確認ボタンＢ４５が選択されたか否かを判別する（ステップＳ１５）。
【０１０５】
制御部１１０は、印刷確認ボタンＢ４５が選択された場合（ステップＳ１５；Ｙｅｓ）、ステップＳ１に戻り、印刷確認ボタンＢ４５が選択されていない場合（ステップＳ１５；Ｎｏ）、閉じるボタンが選択されたか否かを判別する（ステップＳ１６）。
【０１０６】
制御部１１０は、閉じるボタンが選択されていない場合（ステップＳ１６；Ｎｏ）、ステップＳ１１に戻り、閉じるボタンが選択された場合（ステップＳ１６；Ｙｅｓ）、ステップＳ６に戻る。
【０１０７】
制御部１１０は、基本画面Ｇ１において、機械状態タブＧ１６が選択されていない場合（ステップＳ２；Ｎｏ）、プリント部４０によるプリント開始か否かを判別する（ステップＳ１７）。
【０１０８】
制御部１１０は、プリント開始でない場合、例えば、風量設定画面Ｇ４において印刷確認ボタンＢ４５が選択された後に基本画面が表示された場合、風量設定画面Ｇ４が表示された状態でスタートボタン３２又は確認ボタン３３が選択された場合、を除くその他のボタンが選択された場合（ステップＳ１７；Ｎｏ）、その他のボタンに応じた処理に移行し、本処理を終了する。
【０１０９】
制御部１１０は、プリント開始である場合、例えば、量設定画面Ｇ４において印刷確認ボタンＢ４５が選択された後に基本画面が表示された場合、風量設定画面Ｇ４が表示された状態でスタートボタン３２又は確認ボタン３３が選択された場合（ステップＳ１７；Ｙｅｓ）、ジョブのジョブ情報に従って、指定された給紙トレイから当該給紙トレイに格納されている用紙の種類に対応したプロファイルのうち当該給紙トレイに対応した設定値に応じた風量で給紙部により用紙を給紙させ搬送させる給紙処理（ステップＳ１８）、給紙された用紙に画像を形成する画像形成処理（ステップＳ１９）、画像が形成された用紙を指定された排紙トレイに排紙する排紙処理（ステップＳ２０）を実行させる。
【０１１０】
制御部１１０は、ステップＳ２０後、プルーフモードか否かを判別する（ステップＳ２１）。例えば、ステップＳ１７において、風量設定画面Ｇ４において印刷確認ボタンＢ４５が選択された後に基本画面が表示された場合、又は、風量設定画面Ｇ４が表示された状態で確認ボタン３３が選択された場合、プルーフモードとして設定されている。
【０１１１】
制御部１１０は、プルーフモードである場合（ステップＳ２１）、排紙処理により排紙された用紙は部区切りの用紙か否かを判別し（ステップＳ２２）、部区切りでない場合（ステップＳ２２；Ｎｏ）、ステップＳ１８に戻る。
【０１１２】
制御部１１０は、部区切りである場合（ステップＳ２２；Ｙｅｓ）、プリント動作を停止、即ち、プリント部４０の動作を停止させ（ステップＳ２３）、プルーフモードの設定を解除し（ステップＳ２４）、操作表示部３０のＬＣＤ上に確認画面を表示させる（ステップＳ２５）。
【０１１３】
図１５に、確認画面Ｇ５の例を示す。
図１５に示すように、確認画面Ｇ５は、プルーフモードにおいて実行したジョブの部数／印刷面、原稿設定、画質設定、倍率設定、出力設定等の各種設定内容の表示を行なうジョブ内容表示エリアＥ５と、風量変更ボタンＢ５１と、を有している。
【０１１４】
制御部１１０は、確認画面Ｇ５において、風量変更ボタンＢ５１が選択されたか否かを判別し（ステップＳ２６）、風量変更ボタンＢ５１が選択された場合（ステップＳ２６；Ｙｅｓ）、ステップＳ１０に戻る。
【０１１５】
制御部１１０は、確認画面Ｇ５において、風量変更ボタンＢ５１が選択されていない場合（ステップＳ２６；Ｎｏ）、スタートボタン３２又は確認ボタン３３が選択されたか否かを判別する（ステップＳ２７）。
【０１１６】
制御部１１０は、スタートボタン３２又は確認ボタン３３が選択されていない場合（ステップＳ２７；Ｎｏ）、ステップＳ２５に戻り、スタートボタン３２又は確認ボタン３３が選択された場合（ステップＳ２７；Ｙｅｓ）、ステップＳ１８に戻る。
【０１１７】
制御部１１０は、ステップＳ２０後、プルーフモードでない場合、例えば、ステップＳ１７において、スタートボタンが選択された場合、ステップＳ２１；Ｎｏ）、ジョブのジョブ情報を参照し、設定部数の実行が完了したか否かを判別する（ステップＳ２８）。
【０１１８】
制御部１１０は、設定部数の実行が完了していない場合（ステップＳ２８；Ｎｏ）、ステップＳ１８に戻り、設定部数の実行が完了した場合（ステップＳ２８；Ｙｅｓ）、本処理を終了する。
【０１１９】
以上のように、本実施の形態によれば、不揮発メモリ１２０に記憶されている用紙の種類毎に定められた給紙部の設定値を風量設定画面において入力された変更指示値に変更して記憶させることができるため、同一の種類の用紙が格納されている給紙トレイの給紙部の設定値を個別に変更する手間を省くことができ、各給紙部の設定値の設定変更の作業の手間を低減し、操作性を向上させることができる。
【０１２０】
特に、風量登録ボタンＢ４３が選択された場合、選択トレイに格納されている用紙の種類に対応する設定値を風量設定画面に入力された変更指示値に変更して記憶させることができるため、選択トレイに設けられた給紙部の設定値の変更作業のみで、選択トレイと同一の種類の用紙が格納されている給紙トレイの給紙部の設定値を変更することができ、各給紙部の設定値の設定変更の作業の手間を低減することができる。
【０１２１】
更に、トレイ別登録ボタンＢ４４が選択された場合、選択トレイに格納されている用紙の種類且つ当該選択トレイに設けられた給紙部に対応する設定値のみを変更することができるため、給紙部毎の設定値の変更も可能となり、各給紙部の空気を吸引又は排出するファンの目詰まり等の機構的な状態の差異により、同一の種類の用紙であっても給紙部毎に調整値が異なる場合に対応することができるため、操作性を向上できる。
【０１２２】
また、不揮発メモリ１２０に記憶された設定値に基づいて給紙部により用紙を搬送経路に搬送させる処理を含む画像形成装置の確認処理（プルーフモード）を実行させた後、設定値の変更指示値の入力を受け付けることができるため、給紙部の動作を確認しながら設定値を変更することができ、操作性を向上させることができる。
【０１２３】
以上の説明では、本発明に係るプログラムのコンピュータ読み取り可能な媒体として
ＲＯＭを使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ(搬送波)も本発明に適用される。
【０１２４】
また、本発明は、上記実施の形態の内容に限定されるものではなく、本発明の主旨を逸脱しない範囲で適宜変更可能である。
【図面の簡単な説明】
【０１２５】
【図１】本実施の形態における画像形成装置の概略断面構成図である。
【図２】画像形成装置の制御ブロック図である。
【図３】プロファイル群の例を示す図である。
【図４】各給紙トレイの給紙部の設定値テーブルの例を示す図である。
【図５】本実施の形態における風量設定処理のフローチャートである。
【図６】本実施の形態における風量設定処理のフローチャートである（図５の続き）。
【図７】基本画面の例を示す図である。
【図８】機械状態画面の例を示す図である。
【図９】オート／マニュアル画面の例を示す図である。
【図１０】風量設定画面の例を示す図である。
【図１１】風量登録ボタンが選択された後のプロファイル群の例を示す図である。
【図１２】風量登録ボタンが選択された後の各給紙トレイの給紙部の設定値テーブルの例を示す図である。
【図１３】トレイ別登録ボタンが選択された後のプロファイル群の例を示す図である。
【図１４】トレイ別登録ボタンが選択された後の各給紙トレイの給紙部の設定値テーブルの例を示す図である。
【図１５】確認画面の例を示す図である。
【符号の説明】
【０１２６】
１  画像形成装置
１ａ  本体部
１ｂ  プリンタコントローラ
２  外部装置
３  ネットワーク
１１  コントローラ制御部
１２  ＤＲＡＭ制御ＩＣ
１３  画像メモリ
１４  ＬＡＮＩＦ
２０  画像読取部
２１  自動原稿送り部
２２  読取部
２２ａ  ＣＣＤ
３０  操作表示部
３１  タッチパネル
３２  スタートボタン
３３  確認ボタン
４０  プリント部
４１  用紙格納部
４１ａ  給紙トレイ
４１ｂ  給紙部
４１ｂ１  浮上部
４１ｂ２  吸着部
４２  用紙搬送部
４２ａ  レジストローラ
４３  画像形成部
４３ａ  転写装置
４３ｂ  定着装置
４４  搬出部
５０  後処理部
１１０  制御部
１２０  不揮発メモリ
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ｂ２１  トレイサイズボタン
Ｂ２２  トレイ紙種ボタン
Ｂ２３  トレイ風量ボタン
Ｂ３１  オートボタン
Ｂ３２  マニュアルボタン
Ｂ４１ａ、Ｂ４２ａ  弱ボタン
Ｂ４１ｂ、Ｂ４２ｂ  強ボタン
Ｂ４３  風量登録ボタン
Ｂ４４  トレイ別登録ボタン
Ｂ４５  印刷確認ボタン
Ｂ４６  キャンセルボタン
Ｂ４７  閉じるボタン
Ｂ５１  風量変更ボタン
Ｅ２１  ジョブリストエリア
Ｅ２２  用紙トレイエリア
Ｅ２３  補給／廃棄部材エリア
Ｅ４１、Ｅ４２  設定値表示エリア
Ｅ５  ジョブ内容表示エリア
Ｇ１  基本画面
Ｇ２  機械状態画面
Ｇ３  オート／マニュアル画面
Ｇ４  風量設定画面
Ｇ５  確認画面
Ｇ１１  コピータブ
Ｇ１２  スキャンタブ
Ｇ１３  保存タブ
Ｇ１４  読み出しタブ
Ｇ１５  ジョブリストタブ
Ｇ１６  機械状態タブ
Ｔ１  原稿トレイ
Ｔ２  手差しトレイ
Ｔ３  排紙トレイ
【図１】
0005209942.tif 000002
【図２】
0005209942.tif 000003
【図３】
0005209942.tif 000004
【図４】
0005209942.tif 000005
【図５】
0005209942.tif 000006
【図６】
0005209942.tif 000007
【図７】
0005209942.tif 000008
【図８】
0005209942.tif 000009
【図９】
0005209942.tif 000010
【図１０】
0005209942.tif 000011
【図１１】
0005209942.tif 000012
【図１２】
0005209942.tif 000013
【図１３】
0005209942.tif 000014
【図１４】
0005209942.tif 000015
【図１５】
0005209942.tif 000016